(57)【要約】【課題】組立箱における作業性の向上。【解決手段】組立箱１は、シート材の端部を接合することで実現されるものであり、壁面部１０，４０，６０と、第一接合部２０と、第二接合部２２と、剥離部２４と、縫合部６とを備えている。壁面部１０は、側面または底面を形成する。第一接合部２０は、外部の開放空間に向けて第一当接辺から突出するように、第一当接辺に沿って壁面部１２に連設されている。第二接合部２２は、外部の開放空間に向けて第二当接辺から突出し、かつ、第一接合部２０に当接するように、第二当接辺に沿って壁面部１８に連設されている。剥離部２４は、第一接合部２０の一端から、第一当接辺の方向に沿って、剥離可能な態様で連設された片である。縫合部６は、第一接合部２０と第二接合部２２とを抜糸可能な態様で縫い合わせると共に、その縫い合わせた糸８にて剥離部２４を縫ったものである。【選択図】図１
2015074459.tif 000002
【特許請求の範囲】
【請求項１】
少なくとも一枚のシート材（５）の端部を接合することで、内部に空間を有した柱体状に形成される組立箱（１）であって、
側面または底面を形成する壁面部（１０，１２，１４，１６，１８，４０，６０）と、
前記壁面部における一つの辺を第一当接辺（３８）と称し、前記壁面部において前記第一当接辺と当接する辺を第二当接辺（３９）と称し、
外部の開放空間に向けて前記第一当接辺から突出するように、前記第一当接辺に沿って前記壁面部に連設された第一接合部（２０）と、
外部の開放空間に向けて前記第二当接辺から突出し、かつ、前記第一接合部に当接するように、前記第二当接辺に沿って前記壁面部に連設された第二接合部（２２）と、
前記第一当接辺に沿って延びる前記第一接合部の一端と、前記第二当接辺に沿って延びる前記第二接合部の一端とのうちの一方から、前記第一当接辺または前記第二当接辺の方向に沿って、剥離可能な態様で連設された片である剥離部（２４）と、
前記第一接合部と前記第二接合部とを抜糸可能な態様で縫い合わせると共に、その縫い合わせた糸（８）にて前記剥離部を縫った縫合部（６）と
を備えることを特徴とする組立箱。
【請求項２】
少なくとも一枚のシート材（５）を折り曲げることで、内部に空間を有した柱体状に形成される組立箱（１）であって、
側面を形成する壁面部（１０，１２，１４，１６，１８）と、
底面の少なくとも一部分を形成するように、前記壁面部に連設されたフラップである第一底面部（４２）と、
底面の少なくとも一部分を形成し、前記第一底面部の一部分に折り重なるように、前記壁面部において前記第一底面部が設けられた位置とは非重複な位置に連設されたフラップである第二底面部（４４）と、
前記第一底面部と前記第二底面部とを係止する係止部（７０，７２，７４，７６，７８，８０）と
を備え、
前記係止部は、
前記第一底面部に穿設された係合孔（８０）に嵌合され、前記係合孔の周縁と係合することで前記第一底面部と前記第二底面部とを係止する突出片である第一差込部（７０，７２，７４，７６）
を備えることを特徴とする組立箱。
【請求項３】
前記第一差込部は、
前記第二底面部に連設された本体部（７２）と、
前記本体部において前記第二底面部に連設された位置とは非重複である位置に連設された第一拡張部（７４）と
前記本体部において前記第一拡張部が設けられた位置及び前記第二底面部に連設された位置とは非重複である位置に連設された第二拡張部（７６）と
を備えることを特徴とする請求項２に記載の組立箱。
【請求項４】
前記第一拡張部と前記第二拡張部とは、
予め規定された罫線にて折り曲げることで少なくとも一部分が折り重なるように、前記本体部に連設されている
ことを特徴とする請求項３に記載の組立箱。
【請求項５】
前記本体部は、矩形状に形成されており、
前記第一拡張部及び前記第二拡張部のそれぞれは、前記本体部において前記第二底面部に連設された辺と直交する一対の辺のそれぞれに連設され、
前記本体部と前記第一拡張部とが接続された辺を第一接続端と称し、前記第一拡張部における前記第一接続端とは反対側の辺を第一開放端と称し、前記本体部と前記第二拡張部とが接続された辺を第二接続端と称し、前記第二拡張部における前記第二接続端とは反対側の辺を第二開放端と称し、
前記第一拡張部及び前記第二拡張部は、
前記第一接続端から前記第一開放端までの距離と、前記第二接続端から前記第二開放端までの距離との和が、前記第一接続端から前記第二接続端までの距離よりも長くなるように形成されている
ことを特徴とする請求項３または請求項４に記載の組立箱。
【請求項６】
前記係止部は、
前記第二底面部から立設する突出片であって、前記係合孔の周縁と係合することで前記第一底面部と前記第二底面部とを係止する突出片である第二差込部（７８）を備える
ことを特徴とする請求項２から請求項５までのいずれか一項に記載の組立箱。
【請求項７】
前記第一底面部と、前記第二底面部とを、それぞれ、２つ備え、
さらに、前記係止部が、前記第一底面部と前記第二底面部とのそれぞれに形成される
ことを特徴とする請求項２から請求項６までのいずれか一項に記載の組立箱。
【請求項８】
前記壁面部における一つの辺を第一当接辺（３８）と称し、前記壁面部において前記第一当接辺と当接する辺を第二当接辺（３９）と称し、
外部の開放空間に向けて前記第一当接辺から突出するように、前記第一当接辺に沿って前記壁面部に連設された第一接合部（２０）と、
外部の開放空間に向けて前記第二当接辺から突出し、かつ、前記第一接合部に当接するように、前記第二当接辺に沿って前記壁面部に連設された第二接合部（２２）と、
前記第一当接辺に沿って延びる前記第一接合部の一端と、前記第二当接辺に沿って延びる前記第二接合部の一端とのうちの一方から、前記第一当接辺または前記第二当接辺の方向に沿って、剥離可能な態様で連設された片である剥離部（２４）と、
前記第一接合部と前記第二接合部とを抜糸可能な態様で縫い合わせると共に、その縫い合わせた糸（８）にて前記剥離部を縫った縫合部（６）と
を備えることを特徴とする請求項２から請求項７までのいずれか一項に記載の組立箱。
【発明の詳細な説明】
【技術分野】
【０００１】
本発明は、シート材を組み立てることで形成される組立箱に関する。
【背景技術】
【０００２】
従来、一枚の段ボールシートを予め規定された複数の罫線に沿って折り曲げることにより、内部に空間を有した直方体状に形成される組立箱が知られている（特許文献１参照）。
【０００３】
この特許文献１に記載された組立箱は、矩形状の底板部と、底板部における互いに平行な一対の辺に連設された２つの第一側壁部と第一側壁部に連設された第二側壁部とによって壁面を形成する壁面部と、天面を形成するように壁面部の側壁部それぞれに連設された複数のフラップとを有している。
【先行技術文献】
【特許文献】
【０００４】
【特許文献１】実開平０７−１５５２０号公報
【発明の概要】
【発明が解決しようとする課題】
【０００５】
ところで、特許文献１に記載された組立箱においては、その組立箱を組み立てる場合、各壁面部の接続辺同士や折り重ねたフラップをガムテープや接着剤で接着する必要があった。
【０００６】
また、特許文献１に記載された組立箱においては、その組立箱を開封する際に、ガムテープを取り外したり、接着面を剥がしたりする必要があり、作業に手間を要していた。
すなわち、特許文献１に記載された組立箱においては、作業性が悪いという課題があった。
【０００７】
そこで、本発明は、組立箱において、作業性を向上させることを目的とする。
【課題を解決するための手段】
【０００８】
上記目的を達成するためになされた本発明は、少なくとも一枚のシート材を用いて形成される組立箱に関する。本発明の組立箱は、内部に空間を有した柱体状に形成される。
このうち、第一発明としての組立箱は、シート材の端部を接合することで実現されるものであり、壁面部（１０，１２，１４，１６，１８，４０，６０）と、第一接合部（２０）と、第二接合部（２２）と、剥離部（２４）と、縫合部（６）とを備えている。
【０００９】
第一発明における壁面部は、側面または底面を形成する。
以下、壁面部における一つの辺を第一当接辺（３８）と称し、壁面部において第一当接辺と当接する辺を第二当接辺（３９）と称す。
【００１０】
第一発明における第一接合部は、外部の開放空間に向けて第一当接辺から突出するように、第一当接辺に沿って壁面部に連設されている。第二接合部は、外部の開放空間に向けて第二当接辺から突出し、かつ、第一接合部に当接するように、第二当接辺に沿って壁面部に連設されている。
【００１１】
また、第一発明における剥離部は、第一当接辺に沿って延びる第一接合部の一端と、第二当接辺に沿って延びる第二接合部の一端とのうちの一方から、第一当接辺または第二当接辺の方向に沿って、剥離可能な態様で連設された片である。縫合部は、第一接合部と第二接合部とを抜糸可能な態様で縫い合わせると共に、その縫い合わせた糸（８）にて剥離部を縫ったものである。
【００１２】
すなわち、第一発明の組立箱は、第一接合部と第二接合部とを抜糸可能な態様で縫い合わせる（接合する）ことで、各壁面部が側面または底面となる柱体状に形成されている。そして、第一発明の組立箱は、第一接合部と第二接合部とを縫い合わせた糸にて剥離部も縫われている。
【００１３】
このような第一発明の組立箱を開封する場合、剥離部を剥離すれば、第一接合部と第二接合部とを縫い合わせている糸がほどける。したがって、第一発明の組立箱によれば、縫い合わされている糸をほどく必要が無くなり、しかも、糸がほどけるため、その糸の端部が持ちやすくなり、抜き取りを容易なものとすることができる。
【００１４】
そして、第一接合部と第二接合部とを縫い合わせている糸を抜き取ると、組立箱は、開封される。
つまり、第一発明の組立箱によれば、組立箱を開封する際の作業性を向上させることができる。
【００１５】
次に、第二発明としての組立箱は、少なくとも一枚のシート材（５）を折り曲げることで実現されるものであり、壁面部（１０，１２，１４，１６，１８）と、第一底面部（４２）と、第二底面部（４４）と、係止部（７０，７２，７４，７６，７８，８０）とを備える。
【００１６】
このうち、壁面部は、側面を形成する。第一底面部は、底面の少なくとも一部分を形成するように、壁面部に連設されたフラップである。
また、第二発明における第二底面部は、底面の少なくとも一部分を形成し、第一底面部の一部分に折り重なるように、壁面部において第一底面部が設けられた位置とは非重複な位置に連設されたフラップである。
【００１７】
第二発明における係止部は、第一底面部と第二底面部とを係止する。
第二発明における係止部は、第一底面部に穿設された係合孔（８０）に嵌合され、係合孔の周縁と係合することで第一底面部と第二底面部とを係止する突出片である第一差込部（７０，７２，７４，７６）を備える。
【００１８】
第二発明における組立箱を組み立てる場合、第一底面部に第二底面部を折り重ねると共に、第一差込部を係合孔に嵌合する。この係合孔に嵌合された第一差込部は、係合孔の周縁と係合することにより係止機構（いわゆるストッパー）として機能する。
【００１９】
すなわち、第二発明の組立箱においては、第一差込部を係合孔に嵌合することで、組立箱を組み立てることができ、その組立作業を容易なものとすることができる。
換言すれば、第二発明の組立箱によれば、組立箱を開封する際の作業性を向上させることができる。
【００２０】
なお、第二発明において、第一差込部は、第二底面部に連設された本体部（７２）と、本体部において第二底面部に連設された位置とは非重複である位置に連設された第一拡張部（７４）と、本体部において第一拡張部が設けられた位置及び第二底面部に連設された位置とは非重複である位置に連設された第二拡張部（７６）とを備えていても良い。
【００２１】
このように構成された第一差込部であれば、第一拡張部及び第二拡張部が係合孔の周縁と係合する係止機構を実現できる。
また、第二発明における第一拡張部と第二拡張部とは、予め規定された罫線にて折り曲げることで少なくとも一部分が折り重なるように、本体部に連設されていても良い。
【００２２】
このような組立箱においては、第一拡張部と第二拡張部との少なくとも一部分が折り重なるように、第一拡張部と第二拡張部とを折り曲げることができる。このため、第二発明の組立箱によれば、第一拡張部、第二拡張部、及び第一差込部を嵌合孔に嵌合する際に、組み立て作業の作業者は、それらの第一拡張部、第二拡張部、及び第一差込部を片手で持つことができる。
【００２３】
この結果、第二発明の組立箱によれば、組立箱を組み立てる際の作業性をより向上させることができる。
さらに、第二発明においては、本体部は、矩形状に形成されていても良い。この場合、第一拡張部及び第二拡張部のそれぞれは、本体部において第二底面部に連設された辺と直交する一対の辺のそれぞれに連設されていても良い。
【００２４】
そして、第一拡張部及び第二拡張部は、第一接続端から第一開放端までの距離と、第二接続端から第二開放端までの距離との和が、第一接続端から第二接続端までの距離よりも長くなるように形成されていても良い。
【００２５】
なお、ここで言う第一接続端とは、本体部と第一拡張部とが接続された辺であり、第一開放端とは、第一拡張部における第一接続端とは反対側の辺である。さらに、第二接続端とは、本体部と第二拡張部とが接続された辺であり、第二開放端とは、第二拡張部における第二接続端とは反対側の辺である。
【００２６】
このような組立箱によれば、第一拡張部と第二拡張部とを本体部上にて確実に折り重ねることができる。この結果、第二発明の組立箱によれば、組み立て作業の作業者は、第一拡張部、第二拡張部、及び本体部を確実に片手で持つことができる。
【００２７】
また、第二発明における係止部は、第二底面部から立設する突出片であって、係合孔の周縁と係合することで第一底面部と第二底面部とを係止する突出片である第二差込部（７８）を備えていても良い。
【００２８】
このような組立箱によれば、組立箱を組み立てる場合、第二差込部を係合孔に挿通できる。そして、係合孔に挿通された第二差込部は、係合孔の周縁と係合することにより係止機構（いわゆるストッパー）として機能する。
【００２９】
したがって、第二発明における組立箱によれば、第一底面部と第二底面部との接合を、より強固なものとすることができる。
なお、第二発明の組立箱においては、柱体状を構成する２つの底面のそれぞれを、２組の第一底面部と第二底面部とを含む構造によって構成しても良い。この場合、２つの第一底面部と第二底面部とのそれぞれに係止部を構成しても良い。
【００３０】
このような第二発明の組立箱によれば、柱状体を構成する２つの底面について、組み立ての作業性を向上させることができる。
ところで、第二発明における組立箱は、第一接合部と、第二接合部と、剥離部と、縫合部とを備えていても良い。
【００３１】
このような第二発明の組立箱によれば、請求項１に記載の組立箱と同様の効果を得ることができ、この結果、組立箱を組み立てる際の作業性を向上させることに加えて、組立箱を開封する際の作業性を向上させることができる。
【００３２】
なお、課題を解決するための手段の欄及び特許請求の範囲に記載した括弧内の符号は、一つの態様として後述する実施形態に記載の具体的手段との対応関係を示すことを目的とするものであって、本発明の技術的範囲を限定するものではない。
【図面の簡単な説明】
【００３３】
【図１】本発明が適用された組立箱の外観を示す斜視図である。
【図２】組立箱の展開図である。
【図３】第一差込部、及び第二差込部の拡大図である。
【図４】縫合部の上面拡大図である。
【図５】縫合部の下面拡大図である。
【図６】第一差込部及び第二差込部による係止状態を表す図である。
【図７】第一差込部及び第二差込部にて係止された底面を表す図である。
【図８】組立箱の正面図である。
【図９】組立箱の側面図である。
【図１０】組立箱の上面図である。
【発明を実施するための形態】
【００３４】
以下に本発明の実施形態を図面と共に説明する。
図１に示す組立箱１は、内部に収納空間を有した柱体状の箱である。
この組立箱１は、４つの側面を形成する壁面部１０と、２つの底面の各々を形成する底面部４０，６０と、縫合部６とを備えている。そして、組立箱１は、壁面部１０と底面部４０，６０とが接合されることによって、直方体状に形成され、内部に収納空間が形成される。
【００３５】
この組立箱１の収納空間には、例えば、物体が収納される。ここで言う物体には、例えば、花卉（胡蝶蘭など）を含む。
この組立箱１は、図２に示すように、一枚のシート材５を用いて形成される。本実施形態におけるシート材５は、紙製の段ボールシートであり、規定された位置に、罫線や切り込みが設けられている。
［壁面部の構成］
壁面部１０は、第一側面部１２と、第二側面部１４と、第三側面部１６と、第四側面部１８と、第一接合部２０と、第二接合部２２と、剥離部２４とを備えている。
【００３６】
第一側面部１２は、矩形状の部位である。
第二側面部１４は、矩形状の部位である。この第二側面部１４は、第一側面部１２の一つの辺（以下、「第一辺」と称す）３２に連設されている。
【００３７】
第三側面部１６は、第一側面部１２と同一の大きさを有した矩形状の部位である。この第三側面部１６は、第二側面部１４における互いに対向する一組の辺のうち、第一辺３２とは反対側の辺（以下、「第二辺」と称す）３４に連設されている。
【００３８】
なお、第三側面部１６には、第二辺３４と直交する２つの辺のそれぞれの近傍に、２つの孔５６が穿設されている。
第四側面部１８は、第二側面部１４と同一の大きさを有した矩形状の部位である。この第四側面部１８は、第三側面部１６における互いに対向する一組の辺のうち、第二辺３４とは反対側の辺（以下、「第三辺」と称す）３６に連設されている。
【００３９】
すなわち、第一側面部１２と第二側面部１４と第三側面部１６と第四側面部１８とは、壁面部１０を構成する部位であり、この壁面部１０は、連続した一つの矩形状に形成されたシートである。そして、第一側面部１２、第二側面部１４、第三側面部１６、及び第四側面部１８は、第一辺３２、第二辺３４、第三辺３６にて、同一方向に折り曲げることで、組立箱１の側面として機能する。なお、本実施形態における第一辺３２、第二辺３４、第三辺３６のそれぞれは、シート材５の折り曲げを容易にすることを目的とした各種加工が施された罫線であっても良い。
【００４０】
第一接合部２０は、矩形状の部位である。この第一接合部２０は、第一側面部１２における互いに対向する一組の辺のうち、第一辺３２とは反対側の辺（以下、「第一接続辺」と称す）３８に連設されている。
【００４１】
また、第二接合部２２は、第一接続辺３８と平行な辺の長さが、第一接続辺３８よりも短い矩形状の部位である。この第二接合部２２は、第四側面部１８における互いに対向する一組の辺のうち、第三辺３６とは反対側の辺（以下、「第二接続辺」と称す）３９に連設されている。
【００４２】
そして、剥離部２４は、第一接続辺３８の方向に沿って第一接合部２０の一端から延びる部位である。すなわち、剥離部２４は、第一接合部２０の一端を構成する部位である。
この剥離部２４は、第一接続辺３８の方向に沿って第一接合部２０から剥離可能な態様に形成されている。ここで言う剥離可能な態様は、第一接合部２０と剥離部２４との境界にミシン目を施すことで実現しても良いし、剥離部２４の厚みを第一接合部２０の厚みよりも薄くすることで実現しても良い。
［底面部の構成］
本実施形態の組立箱１においては、底面部４０と底面部６０とが、同一の構造であるため、一方について説明し、他方については同一の符合を付して説明を省略する。
【００４３】
底面部４０，６０は、第一底面部４２と、第二底面部４４と、第三底面部４６と、第四底面部４８とを備えている。
このうち、第四底面部４８は、第一側面部１２において第一辺３２と直交する辺それぞれに連設され、その連設される辺を軸として回動するフラップである。さらに、第四底面部４８それぞれには、第一側面部１２に連設される辺の近傍に、その連設される辺と平行な切り込み５０が形成されている。
【００４４】
第三底面部４６は、第二側面部１４において第一辺３２と直交する辺それぞれに連設され、その連設される辺を軸として回動するフラップである。さらに、第三底面部４６それぞれには、切り込み５０と係合する位置に係合片５２が連設されている。この係合片５２それぞれは、第三底面部４６との接続部分よりも、第三底面部４６に接続されていない先端側が拡大した形状に形成されている。
【００４５】
さらに、第一底面部４２は、第四側面部１８において第三辺３６と直交する辺それぞれに連設され、その連設される辺を軸として回動するフラップである。さらに、第一底面部４２それぞれには、矩形の孔（以下、「係合孔」と称す）８０が穿設されている。また、第一底面部４２のそれぞれには、第三側面部１６に穿設された孔５６それぞれに対応する位置に突起５８が設けられている。
【００４６】
第二底面部４４は、第三辺３６と直交する第三側面部１６の辺それぞれに連設され、その連設される辺を軸として回動するフラップである。すなわち、第二底面部４４は、第一底面部４２の一部分に折り重なるように、壁面部１０において第一底面部４２が設けられた位置とは非重複な位置に連設されている。
【００４７】
さらに第二底面部４４には、第一底面部４２と第二底面部４４とを係止する第一差込部７０と、第二差込部７８とが形成されている。
このうち、第一差込部７０は、第二底面部４４から突出した突出片であり、本体部７２と、第一拡張部７４と、第二拡張部７６とを備えている。この第一差込部７０は、第二底面部４４において、第一底面部４２に穿設された係合孔８０と係合する位置から突出している。
【００４８】
本体部７２は、第二底面部４４に連設された矩形状の突出片である。
第一拡張部７４は、本体部７２において第二底面部４４と接続された辺と直交する一対の辺のうちの一方に連設された矩形状の突出片である。また、第二拡張部７６は、本体部７２において第二底面部４４と接続された辺と直交する一対の辺のうち、第一拡張部７４が連設された辺とは反対側の辺に連設された矩形状の突出片である。
【００４９】
そして、本体部７２と第二底面部４４との接続部分は、予め規定された罫線である。
なお、以下では、図３に示すように、本体部７２と第一拡張部７４とが接続された辺を第一接続端９０と称し、第一拡張部７４における第一接続端９０とは反対側の辺を第一開放端９２と称す。また、本体部７２と第二拡張部７６とが接続された辺を第二接続端９４と称し、第二拡張部７６における第二接続端９４とは反対側の辺を第二開放端９６と称す。
【００５０】
第一拡張部７４及び第二拡張部７６は、第一接続端９０から第一開放端９２までの距離Ｌ１と、第二接続端９４から第二開放端９６までの距離Ｌ２との和ＬＬ（＝Ｌ１＋Ｌ２）が、第一接続端９０から第二接続端９４までの距離Ｌ３よりも長くなるように形成されている。さらに、第一拡張部７４及び第二拡張部７６は、第一開放端９２から第二開放端９６までの距離Ｌ（＝Ｌ１＋Ｌ２＋Ｌ３）が、係合孔８０における長辺ＬＨよりも長くなるように形成されている。
【００５１】
すなわち、第一差込部７０は、ＬＬが、Ｌ３よりも長く、かつ、Ｌが、ＬＨよりも長くなるように形成されている。
次に、第二差込部７８は、係合孔８０の周縁と係合するように、第二底面部４４から立設する突出片である。この第二差込部７８は、一つの辺が第二底面部４４に接続された矩形状であり、第二底面部４４に切り込みを施すことで形成されている。
【００５２】
そして、第二差込部７８は、長辺Ｌ５が、係合孔８０における長辺ＬＨと同一または長辺ＬＨよりも短くなるように形成されている。
［縫合部］
次に、縫合部６について説明する。
【００５３】
この縫合部６は、図４，図５に示すように、糸８にて、第一接合部２０と第二接合部２２とを縫い合わせると共に、その縫い合わせた糸８にて剥離部２４を縫った部位である。
縫合部６において、第一接合部２０、第二接合部２２、及び剥離部２４を縫い合わせる方法は、抜糸可能な態様である。そして、抜糸可能な態様とは、人の手によって糸８を引き抜くことが可能な態様であり、例えば、単環縫いや二重環縫いを含む態様である。さらに、糸８は、シート材５を同種材料の糸であっても良いし、化学繊維（例えば、レーヨン）の糸であっても良い。
【００５４】
また、縫合部６において、縫い合わせる方向は、第一接合部２０及び第二接合部２２の長手方向（即ち、第一接続辺３８や第二接続辺３９に沿った方向）であることが好ましい。
【００５５】
なお、本実施形態においては、第一接続辺３８が、特許請求の範囲に記載の第一当接辺に相当し、第二接続辺３９が、特許請求の範囲に記載の第二当接辺に相当する。
つまり、第一接合部２０、第二接合部２２、及び剥離部２４を糸８にて縫い合わせることにより、壁面部１０（すなわち、シート材５）は、第一接合部２０と第二接合部２２とが外部の開放空間に向けて突出した周回構造となる。
［組み立て］
周回構造となったシート材５の組み立て方法について説明する。
【００５６】
シート材５を組み立てる場合、まず、第一側面部１２、第二側面部１４、第三側面部１６、及び第四側面部１８を、第一辺３２、第二辺３４、第三辺３６にて同一方向に折り曲げることで、組立箱１の側面として機能させる。
【００５７】
次に、底面部４０（６０）を組み立てる。本実施形態において、底面部４０（６０）を組み立てる場合、まず、第四底面部４８が折り曲げられる。
そして、その折り曲げられた第四底面部４８に、一部分が折り重なるように第一底面部４２が折り曲げられる。第一底面部４２が折り曲げられる際には、第一底面部４２の突起５８が、第三側面部１６に穿設された孔５６に嵌め込まれる。これにより、第四底面部４８に折り重なった状態で第一底面部４２が保持される。
【００５８】
さらに、それらの第四底面部４８及び第一底面部４２に折り重なるように、第三底面部４６が折り曲げられる。そして、第三底面部４６が折り曲げられる際に、第三底面部４６の係合片５２が切り込み５０に嵌合される。これにより、第四底面部４８に折り重なった状態で、第三底面部４６が係止される。
【００５９】
さらに、底面部４０（６０）の組立では、第三底面部４６及び第一底面部４２に折り重なるように、第二底面部４４が折り曲げられる。
そして、第二底面部４４が折り曲げられる際に、第一差込部７０及び第二差込部７８が係合孔８０に嵌合される。この係合孔８０への第一差込部７０の嵌合は、本体部７２、第一拡張部７４、第二拡張部７６、及び第二差込部７８が折り曲げられた上で実施される。このうち、本体部７２、第一拡張部７４、第二拡張部７６の折り曲げは、本体部７２上にて、第一拡張部７４及び第二拡張部７６の一方に他方が折り重なるように実施される。
【００６０】
そして、係合孔８０に第一差込部７０が嵌合されると、図６に示すように、第二差込部７８は、係合孔８０の周縁と接触して係止され、第一拡張部７４及び第二拡張部７６は拡開する。この拡開により、第一拡張部７４及び第二拡張部７６は、係合孔８０の周縁と接触して係止される。
【００６１】
これにより、図７に示すように、底面部４０（６０）が組み立てられ、底面部４０，６０は、それぞれ、組立箱１の底面として機能する。
この組立箱１の組み立ては、人の手によってなされる。
【００６２】
そして、組み立てられた組立箱１は、図８，図９，図１０に示すように、内部に収納空間を有した直方体状の箱となる。
［実施形態の効果］
以上説明したように、組立箱１は、第一接合部２０と第二接合部２２とを抜糸可能な態様で縫い合わせる（接合する）ことで、第一接合部２０と第二接合部２２とが外部の開放空間に向けて突出した周回構造となるように形成されている。
【００６３】
そして、組立箱１は、第一接合部２０と第二接合部２２とを縫い合わせた糸８にて剥離部２４も縫われている。
このような組立箱１を開封する場合、剥離部２４を剥離すれば、第一接合部２０と第二接合部２２とを縫い合わせている糸がほどける。このため、組立箱１においては、縫い合わされている糸８の端部をほどく必要が無い。しかも、糸８がほどけるため、組立箱１においては、糸８の端部が持ちやすくなり、抜き取りを容易なものとすることができる。
【００６４】
そして、第一接合部２０と第二接合部２２とを縫い合わせている糸８を抜き取ると、組立箱１は開封される。
つまり、組立箱１によれば、組立箱１を開封する際の作業性を向上させることができる。
【００６５】
ところで、組立箱１において、係合孔８０に嵌合された第一差込部７０は、係合孔８０の周縁と接触して係止されることにより係止部（いわゆるストッパー）として機能する。
すなわち、組立箱１においては、第一差込部７０を係合孔８０に嵌合することで、組立箱１の底面を組み立てることができ、その組立作業を容易なものとすることができる。
【００６６】
さらに、組立箱においては、第一拡張部７４と第二拡張部７６との少なくとも一部分が折り重なるように、第一拡張部７４と第二拡張部７６とを折り曲げることができる。
このため、組立箱１によれば、第一差込部７０を係合孔８０に嵌合する際に、組み立て作業の作業者は、第一差込部７０（即ち、第一拡張部７４、第二拡張部７６、及び本体部７２）を片手で持つことができる。
【００６７】
この結果、組立箱１によれば、組み立てる際の作業性をより向上させることができる。
これらのことから、組立箱１によれば、組立箱１を組み立てる際の作業性、及び組立箱１を開封する際の作業性の両方の作業性を向上させることができる。
【００６８】
また、組立箱１において、係合孔８０に挿通された第二差込部７８は、係合孔８０の周縁と接触して係止されることにより係止機構（いわゆるストッパー）として機能する。
したがって、組立箱１によれば、第一底面部４２と第二底面部４４との結合を、より強固なものとすることができる。
【００６９】
さらに、組立箱１においては、組み立てる際に、第一底面部４２の突起５８が、第三側面部１６に穿設された孔５６に嵌め込まれる。このため、組立箱１によれば、第四底面部４８に折り重なった状態で第一底面部４２が保持できる。
【００７０】
そして、組立箱１においては、組み立てる際に、第三底面部４６の係合片５２が切り込み５０に嵌合される。このため、組立箱１によれば、第四底面部４８に折り重なった状態で、第三底面部４６を係止できる。
【００７１】
これらのことから、組立箱１によれば、底面及び底面の構造を強固なものとすることができる。
［その他の実施形態］
以上、本発明の実施形態について説明したが、本発明は上記実施形態に限定されるものではなく、本発明の要旨を逸脱しない範囲において、様々な態様にて実施することが可能である。
【００７２】
例えば、上記実施形態における組立箱１は、一枚のシート材５によって作成されていたが、本発明における組立箱は、複数のシート材によって形成されていても良い。
また、上記実施形態における剥離部２４は、第一接続辺３８に沿って延びる第一接合部２０の一端を構成する部位として形成されていたが、剥離部２４は、第二接続辺３９に沿って延びる第一接合部２０の一端を構成する部位として形成されていても良い。この場合の剥離部２４は、第二接続辺３９の方向に沿って剥離可能な態様で第二接合部２２に連接されていても良い。
【００７３】
なお、上記実施形態の構成の一部を、課題を解決できる限りにおいて省略した態様も本発明の実施形態である。また、上記実施形態と変形例とを適宜組み合わせて構成される態様も本発明の実施形態である。また、特許請求の範囲に記載した文言によって特定される発明の本質を逸脱しない限度において考え得るあらゆる態様も本発明の実施形態である。
【符号の説明】
【００７４】
１…組立箱  ５…シート材  ６…縫合部  ８…糸  １０…壁面部  １２…第一側面部  １４…第二側面部  １６…第三側面部  １８…第四側面部  ２０…第一接合部  ２２…第二接合部  ２４…剥離部  ３２…第一辺  ３４…第二辺  ３６…第三辺  ３８…第一接続辺  ３９…第二接続辺  ４０…底面部  ４２…第一底面部  ４４…第二底面部  ４６…第三底面部  ４８…第四底面部  ５０…切り込み  ５２…係合片  ５６…孔  ５８…突起  ６０…底面部  ７０…第一差込部  ７２…本体部  ７４…第一拡張部  ７６…第二拡張部  ７８…第二差込部  ８０…係合孔  ９０…第一接続端  ９２…第一開放端  ９４…第二接続端  ９６…第二開放端
【図１】
2015074459.tif 000003
【図２】
2015074459.tif 000004
【図３】
2015074459.tif 000005
【図４】
2015074459.tif 000006
【図５】
2015074459.tif 000007
【図６】
2015074459.tif 000008
【図７】
2015074459.tif 000009
【図８】
2015074459.tif 000010
【図９】
2015074459.tif 000011
【図１０】
2015074459.tif 000012